(57)【要約】【課題】メッシュネットワークの変更頻度を考慮し、通信経路を構成する点データや線分データの変更差分データを明示的に管理可能とするとともに、変更差分のみを描画した図形作成、表示の高速化、装置の付加低減化を図るメッシュネットワーク表示装置を提供する。【解決手段】クライアント１００はサーバ２００からの表示用データで図形５０を描画後、表示画面部５に表示するとともに、サーバ２００はマスタ３００から常時更新される変更差分データを、クライアント１００の要求に際し、前回更新時刻＜前回図形描画時刻＜最新更新時刻を確認後、クライアント１００に返信し、クライアント１００は変更差分データに基づく変更差分のみの変更差分図形を描画して、表示画面部５上の図形５０に更新図形５０ａとして表示する。【選択図】図１
2017040960.tif 000002
【特許請求の範囲】
【請求項１】
クライアントの表示画面部に図形を表示するメッシュネットワーク表示装置において、前記クライアントは、サーバから前記図形の表示用データを受信すると、前記表示用データを編集の上、前記図形を描画して前記表示画面部に表示するとともに、前記図形の描画時刻を格納しており、前記サーバは、外部設置のマスタから常時前記表示用データの変更差分データを受信するとともにデータベースを逐次更新し、更新した時刻を前記クライアントが格納し、前記クライアントは、前記図形の描画時刻を基準として前記サーバに選択した表示範囲内における前記変更差分データを一定時間毎に送信するよう送信要求し、前記サーバは前記送信要求に基づき、前回更新時刻＜前回図形描画時刻＜最新更新時刻であることを確認後、前記データベースから前記変更差分データを前記クライアントに返信し、前記クライアントは前記変更差分データを編集の上、変更差分のみの図形を描画して変更差分図形とし、前記表示画面部の前記図形上に前記変更差分図形を含む更新図形を表示するとともに、この更新図形の描画時刻を格納するメッシュネットワーク表示装置。
【請求項２】
前記更新図形には、スマートグリッドを構成するスマートメータと、電力網のメッシュネットワークが表示される請求項１に記載のメッシュネットワーク表示装置。
【請求項３】
前記更新図形は、前記表示範囲内における地図上の前記スマートメータの設置点と通信経路を描画したものである請求項２に記載のメッシュネットワーク表示装置。
【請求項４】
前記更新図形は、前記スマートメータが設置された点の追加または移動あるいは削除のいずれかによって更新された図形である請求項２または請求項３に記載のメッシュネットワーク表示装置。
【請求項５】
前記更新図形は、前記クライアントが選択するメッシュネットワークの始点から終点まで、あるいは終点から始点までのいずれかの通信経路が加えて描画された請求項１から請求項４のいずれか１項に記載のメッシュネットワーク表示装置。
【発明の詳細な説明】
【技術分野】
【０００１】
この発明は、メッシュネットワークを可視化した図形を表示するメッシュネットワーク表示装置に関するものであり、特に相互に通信を交換し、メッシュ状（網目状）に形成されたスマートグリッドを構成するスマートメータと電力網のメッシュネットワークを図形として画面上に表示する技術に係るものである。
【背景技術】
【０００２】
近年、省エネルギー、環境問題等に配慮して、既存の電力網を見直し、リアルタイムな電力需要を把握した最適な送電システムを実行するスマートグリッド、およびスマートメータの開発が積極的に行われている。このスマートグリッドにおけるキーデバイスであるスマートメータは、需要家（家庭、工場、ビル等）に設置される電気メータであり、各需要家の電力使用量をリアルタイムに自動計測し、電力網を介して電力会社等に設置された監視制御部に通知する機能を備えている。前記メッシュネットワークは、スマートメータと電力網における通信方式の一つとして利用されており、無線ＬＡＮやＷＬＡＮ等で使用されるアクセスポイントを相互に無線通信し、終端となる集約装置までの経路を動的に設定することができるネットワーク方式である。前述のとおり、メッシュネットワークは動的（秒単位）に変動するので、電力会社等のネットワーク管理者の負担低減のため、そのネットワーク構成の可視化が重要である。
【０００３】
以上のような背景にあって、従来のスマートメータ監視制御システムにおいて、２次元表示のＧＩＳ（Ｇｅｏｇｒａｐｈｉｃ  Ｉｎｆｏｒｍａｔｉｏｎ  Ｓｙｓｔｅｍ）上にメッシュネットワークを表すもので、２つのスマートメータが平面上で重なって表示されるという問題点や、ＧＩＳ上でメッシュネットワークを全て３次元表示する場合にあって、この３次元の処理量が膨大となり、処理装置に大きな負荷が印加されるという問題点を解消するための技術が開示されている（例えば、特許文献１参照）。
【０００４】
すなわち、上記特許文献１ではスマートメータ位置情報及び通信経路情報に基づいて、２次元地図上にスマートメータの位置を示すマークと、通信経路を示すラインとからなるメッシュネットワークグラフを表示させ、かつ選択された領域である選択領域に基づいて、マークがスマートメータ位置情報に基づいて配置された３次元空間である選択領域空間を生成し、マークの選択領域空間における相対位置を維持しながら、前記選択領域空間を回転させて、回転後の選択領域空間を前記２次元地図上に表示させるものである。
【先行技術文献】
【特許文献】
【０００５】
【特許文献１】特開２０１３−９７５２２号公報
【発明の概要】
【発明が解決しようとする課題】
【０００６】
しかしながら上記特許文献１に示された技術は、メッシュネットワークの表示方式についての記載がなされているが、メッシュネットワークの変更頻度を考慮した経路情報の管理技術については記載されてない。すなわちメッシュネットワークが変更された場合には、点のデータ更新、再描画だけでなく、線のデータ更新、再描画が必要となり、メッシュネットワークの秒単位の動的な変動を考慮した図形（点、線）の管理方式、図形（点、線）の描画方式が記載されてなく、そのため、メッシュネットワーク表示の高速化を図ることができないという問題点がある。
【０００７】
この発明は上記のような従来技術の課題を解決するためになされたものであり、メッシュネットワークの変更頻度を考慮し、通信経路を構成する点や線データの変更差分を明示的に管理可能とするとともに、点や線データの差分のみを描画可能な方式を採用することにより、メッシュネットワーク表示の高速化を実行可能とし、かつ装置の負荷低減をはかったメッシュネットワーク表示装置を提供することを目的とする。
【課題を解決するための手段】
【０００８】
この発明はクライアントの表示画面部に図形を表示するメッシュネットワーク表示装置において、クライアントは、サーバから図形の表示用データを受信すると、表示用データを編集の上、図形を描画して表示画面部に表示するとともに、図形の描画時刻を格納しており、サーバは、外部設置のマスタから常時表示用データの変更差分データを受信するとともにデータベースを逐次更新し、更新した時刻をクライアントが格納し、クライアントは、図形の描画時刻を基準としてサーバに選択した表示範囲内における変更差分データを一定時間毎に送信するよう送信要求し、サーバは送信要求に基づき、前回更新時刻＜前回図形描画時刻＜最新更新時刻であることを確認後、データベースから変更差分データをクライアントに返信し、クライアントは変更差分データを編集の上、変更差分のみの図形を描画して変更差分図形とし、表示画面部の図形上に変更差分図形を含む更新図形を表示するとともに、この更新図形の描画時刻を格納するものである。
【発明の効果】
【０００９】
この発明は上記のような構成をしているので、メッシュネットワークの変更差分データをサーバが常時管理するとともに、クライアントは前記変更差分データを受信して変更差分データのみを描画した変更差分図形を、表示画面上に変更差分図形を含む更新図形として表示するのでメッシュネットワーク表示の高速化がはかれるとともに、クライアントの負荷低減が可能となるという優れた効果を奏する。
【図面の簡単な説明】
【００１０】
【図１】実施の形態１によるメッシュネットワーク表示装置を示すブロック図である。
【図２】実施の形態１によるサーバに設けられた図形ＤＢ、経路ＤＢ、更新ＤＢを示す図である。
【図３】実施の形態１によるメッシュネットワーク表示装置の動作を示すフローチャートである。
【図４】実施の形態１による表示画面を説明する図である。
【図５】実施の形態１による図形ＤＢの点テーブル、線分テーブル、線分差分テーブル、経路テーブルを示す図である。
【図６】実施の形態１による更新ＤＢの更新管理テーブルを示す図である。
【図７】実施の形態１によるメッシュネットワークに「点」が追加された場合のメッシュネットワーク表示装置の動作を示すフローチャートである。
【図８】実施の形態１によるメッシュネットワークに「点」が追加された場合のメッシュネットワーク表示装置の動作を示すフローチャートである。
【図９】実施の形態１による「点」が追加された場合の変更差分図形描画を説明する図である。
【図１０】実施の形態１による「点」が追加された場合の図形ＤＢの点テーブル、線分テーブル、線分差分テーブル、経路テーブルを示す図である。
【図１１】実施の形態１による「点」が追加された場合の更新ＤＢの更新管理テーブルを示す図である。
【図１２】実施の形態１による「点」が追加された場合の更新図形の表示画面を示す図である。
【図１３】実施の形態２による「点」が移動した場合のメッシュネットワーク表示装置の動作を示すフローチャートである。
【図１４】実施の形態２による「点」が移動した場合のメッシュネットワーク表示装置の動作を示すフローチャートである。
【図１５】実施の形態２による「点」が移動した場合の変更差分図形描画を説明する図である。
【図１６】実施の形態２による図形ＤＢの点テーブル、線分テーブル、線分差分テーブル、経路テーブルを示す図である。
【図１７】実施の形態２による更新ＤＢの更新管理テーブルを示す図である。
【図１８】実施の形態２による「点」が移動した場合の更新図形の表示画面を示す図である。
【図１９】実施の形態３による「点」が削除された場合のメッシュネットワーク表示装置の動作を示すフローチャートである。
【図２０】実施の形態３による「点」が削除された場合のメッシュネットワーク表示装置の動作を示すフローチャートである。
【図２１】実施の形態３による「点」が削除された場合の変更差分図形描画を説明する図である。
【図２２】実施の形態３による図形ＤＢの点テーブル、線分テーブル、線分差分テーブル、経路テーブルを示す図である。
【図２３】実施の形態３による更新ＤＢの更新管理テーブルを示す図である。
【図２４】実施の形態３による「点」が削除された場合の更新図形の表示画面を示す図である。
【図２５】実施の形態４によるメッシュネットワーク表示装置の動作例を示すフローチャートである。
【図２６】実施の形態４による更新図形の表示画面を示す図である。
【発明を実施するための形態】
【００１１】
実施の形態１．
以下、この発明の実施の形態１によるメッシュネットワーク表示装置５００（以下、表示装置５００と略す）を、電力会社と需要家（一般家庭、工場、ビル等）との間における電力網を例として説明する。尚、以下の説明および図中においてＤＢとはデータベース、ＩＦとはインタフェースを略したものである。
図１に示すように表示装置５００は、ユーザである電力会社の監視制御部に設置されたクライアント１００と、サーバ２００とによって構成されており、サーバ２００には外部装置である各種ＤＢを格納したマスタ３００からの情報が入力される。クライアント１００とサーバ２００はＬＡＮ７０を介して接続されている。
【００１２】
クライアント１００には、サーバ２００との送受信を行うＩＦ部１と、サーバ２００から送信されて図形格納部２に格納された図形の表示用データを編集（追加、移動、削除）する図形編集部３および前記図形の表示用データを描写する図形描画部４と、この図形描画部４によって描画された図形を表示する表示画面部５と、地図データを表示処理する地図表示部６と、前記図形描画部４が図形を描画した時刻を格納する図形描画時刻格納部７と、この格納された図形描画時刻を基に、メッシュネットワーク更新の有無を前記サーバ２００に問い合わせる更新管理部８と、この表示装置５００を管理する電力会社の技術員が操作を行う入力装置９とが設けられている。尚、図１においてクライアント１００の表示画面部５に表示される図形５０は、技術員によって選択された表示範囲内のＡ町を表す地図５ａ上に、複数のスマートメータ５ｂとこのスマートメータ５ｂ間をつなぐ通信経路５ｃおよび集約装置であるコンセントレータ５ｄを描画した例を示す。
尚、前記ＩＦ部１、図形格納部２、図形編集部３、図形描画部４、地図表示部６、図形描画時刻格納部７、更新管理部８でもってソフトウェア機能部１００ａを構成している。
【００１３】
サーバ２００にはクライアント１００やマスタ３００との送受信を行うＩＦ部２１と、後述の図２（ａ）に示す図形の表示用データ（点データ）を格納した図形ＤＢ２２と、図２（ｂ）に示す通信経路に関するデータを格納した経路ＤＢ２３と、サーバ２００に格納される各データを更新管理する更新ＤＢ２４と、前述した図形ＤＢ２２、経路ＤＢ２３および更新ＤＢ２４へのデータの追加、更新、削除および参照を行うＤＢアクセス部２５と、このＤＢアクセス部２５を経由して前記図形ＤＢ２２を管理する図形管理部２６と、前記ＤＢアクセス部２５を経由して前記経路ＤＢ２３を管理する経路管理部２７と、前記ＤＢアクセス部２５を経由して前記更新ＤＢ２４を管理する更新管理部２８と、地図格納部２９に格納された地図データを管理する地図管理部３０とが設けられている。
【００１４】
前記サーバ２００で管理される図形ＤＢ２２を図２（ａ）に、経路ＤＢ２３を図２（ｂ）に、更新ＤＢ２４を図２（ｃ）に示す。ここで図形ＤＢ２２は図２（ａ）に示すように点テーブル（Ｔ０１）で管理され、また経路ＤＢ２３は、線分テーブル（Ｔ０２）、線分差分テーブル（Ｔ０３）、経路テーブル（Ｔ０４）で管理される。さらに更新ＤＢ２４では、後述する図６に示すようにメッシュネットワークの更新に応じて、前回更新時刻と最新更新時刻を更新管理テーブル（Ｔ０５）にて管理する。
【００１５】
次に、表示装置５００の動作について説明する。電力会社の監視制御部にはサーバ２００から秒単位に変動する格納データが送信されているが、その時点におけるメッシュネットワークの状況は、クライアント１００に設けられた表示画面部５上の表示図形によって認識できる。また、スマートメータ５ｂやコンセントレータ５ｄおよび通信経路５ｃの追加、移動等のデータはマスタ３００から逐次入力するサーバ２００によって、データの更新が行われるが、ここではデータの更新がなされてない時点に於いて、ユーザが選択したＡ町におけるスマートメータ５ｂ、コンセントレータ５ｄの位置およびそれらの経路の表示図形５０の例を図４に示す。
図５（ａ）は図形ＤＢ２２に格納されている点テーブル（Ｔ０１）に、スマートメータ５ｂ（Ａ、Ｂ、Ｃ、Ｄ、Ｆ、Ｈ、Ｉ、Ｊ）およびコンセントレータ５ｄ（Ｅ、Ｇ）の座標が示されている。図５（ｂ）は経路ＤＢ２３に格納されている線分テーブル（Ｔ０２）の内容を、図５（ｃ）は線分差分テーブル（Ｔ０３）の内容を、図５（ｄ）は経路テーブル（Ｔ０４）の内容を示す。図６は更新ＤＢ２４に格納される更新管理テーブル（Ｔ０５）の内容を示す。
【００１６】
次に図３のフローチャートを参照して表示装置５００の前述したサーバ２００の各ＤＢのデータ内容の変更を伴わない時点における動作を説明する。尚、以下の説明および図３で示すＳＴとはステップの略である。
ＳＴ１．電力会社の技術員であるユーザは、入力装置９を操作してクライアント１００を起動する。
ＳＴ２．ＩＦ部１は、表示画面部５にユーザが選択したＡ町の表示範囲の地図データと、この地図上の範囲内に設置されたスマートメータ５ｂ、およびコンセントレータ５ｄの図形データ（以下、点データと称す）およびスマートメータ５ｂやコンセントレータ５ｄ間の通信経路である経路データのダウンロードを、サーバ２００に要求する。
ＳＴ３．地図管理部３０は、地図格納部２９から、対象となる地図データを抽出する。
ＳＴ４．図形管理部２６は、図形ＤＢ２２から対象となる点データを抽出する。この点データを図５（ａ）の点テーブル（Ｔ０１）に示す。
ＳＴ５．経路管理部２７は、経路ＤＢ２３から対象となる経路データを抽出する。この経路データを図５（ｄ）の経路テーブル（Ｔ０４）に示す。
ＳＴ６．ＩＦ部２１は、ダウンロード対象の地図データ、点データ、経路データを格納したレスポンスを作成し、クライアント１００に送信する。
ＳＴ７．レスポンスを受信したクライアント１００の地図表示部６は、表示画面部５に地図を描画する。
ＳＴ８．図形編集部３は、点データ、線分データを編集し、図４に示すような図形５０を描画し、この図形５０を図形格納部２に格納する。
ＳＴ９．図形描画部４は、図形格納部２に格納された図形５０を、表示画面部５の地図上に表示する。
ＳＴ１０．更新管理部８は、ＳＴ８の図形５０を描画した時刻を、図形描画時刻格納部７に格納する。
【００１７】
上記のＳＴ１〜ＳＴ１０によって、サーバ２００内のデータ更新が行われていない時点における表示装置５００の動作を示した。
【００１８】
次に、以上に述べた状態が続いた後に、メッシュネットワークに「点」が追加された場合つまり点データが変更された場合における動作を図に基づいて説明する。尚、上記動作を理解し易くするために、動作結果の更新図形５０ａを図１２に示す。端的に表現すれば、「点」が追加されたことにより、メッシュネットワークが図４の図形５０から上記図１２に示すような図形５０ａに更新される。この際、図形編集部３は「点」が追加された変更差分データのみについて、図形格納部２に格納されている前述した図４の図形５０について、図形の追加、削除の編集をして変更差分図形とし、図形描画部４は前述した図４の図形５０上に描画して図１２のような更新図形５０ａとして表示するよう動作する。
【００１９】
以下、図７および図８のフローチャートおよび図９〜図１２を参照して表示装置５００の動作を説明する。
ＳＴ１．メッシュネットワークにスマートメータの増設等で変更差分データに相当する「点」が追加された場合、この情報がマスタ３００からサーバ２００に出力される。すなわち追加した「点」のＩＤ、位置と接続（経路）情報の変更個所のデータがサーバ２００に送信される。
ＳＴ２．サーバ２００の更新管理部２８は、図１１に示すように更新管理テーブル（Ｔ０５）を更新する。
ＳＴ３．図形管理部２６は、追加された「点」のデータを図１０（ａ）に示す点テーブル（Ｔ０１）に追加する。
ＳＴ４．経路管理部２７は、追加された「点」、接続情報の変更個所から、図１０（ｂ）に示す線分テーブル（Ｔ０２）にデータの追加、変更、削除を行い、図１０（ｃ）に示す線分差分テーブル（Ｔ０３）に、前回更新時の図５（ｂ）の線分テーブル（Ｔ０２）と、最新更新時の図１０（ｂ）の線分テーブル（Ｔ０２）の差分内容を更新する。また、図１０（ｄ）に示す経路テーブル（Ｔ０４）にもデータの追加、変更、削除を行う。
ＳＴ５．クライアント１００の更新管理部８は、サーバ２００に対して、図形描画時刻格納部７の図形描画時刻を基準として、図形の変更差分データの要求を一定時間毎に送信する。
ＳＴ６．サーバ２００の更新管理部２８は、更新ＤＢ２４の図１１に示す更新管理テーブル（Ｔ０５）を参照し、クライアント１００の図形描画時刻格納部７に格納されている前回の図形描画時刻を基準に前回更新時刻＜前回図形描画時刻＜最新更新時刻であることを確認し、最新情報に基づき前回の図形を更新する判定を下す。
ＳＴ７．経路管理部２７は図１０（ｃ）に示す線分差分テーブル（Ｔ０３）から変更差分データを取得する。
ＳＴ８．図形管理部２６は線分差分テーブル（Ｔ０３）から参照される図１０（ａ）の点テーブル（Ｔ０１）の変更差分データを取得する。
ＳＴ９．サーバ２００のＩＦ部２１は、ＳＴ７で取得した図９（ｃ）の線分差分テーブル（Ｔ０３）のデータと、ＳＴ８で取得した図１０（ａ）の点テーブル（Ｔ０１）のデータとを変更差分データとしてクライアント１００に送信する。
ＳＴ１０．クライアント１００の図形編集部３はサーバ２００から受信した変更差分データから、図形格納部２に格納されている図４の図形５０について、図形データの差分である点データの追加と、線分データの追加と、それに伴う線分データの削除を行い、図形データの差分を確定するとともに、図９に示すような変更差分のみの変更差分図形を編集する。
ＳＴ１１．図形描画部４は、図形格納部２に格納された図４について図９に示すような「点」Ｋの追加による変形差分図形を描画する。すなわち、図４に於いて変更を必要としない個所はそのまま流用し、図形データの変形差分図形のみを描画して図１２に示す更新図形５０ａとし、表示画面部５に表示するとともに、この更新図形５０ａを図形格納部２に格納する。
ＳＴ１２．更新管理部８は更新図形５０ａを描画した時刻を、図形描画時刻格納部７に格納する。
【００２０】
以上のように、この実施の形態１による表示装置５００は、メッシュネットワークに「点」が追加された場合において、追加による変更差分データのみを編集した変更差分図形を描画する構成を備えているので、新たにユーザが選択した表示範囲全体の表示画面を作成する必要がなく、従ってメッシュネットワークの変化に伴う更新図形の作成に必要な時間が短縮され、表示が高速化されるとともに、クライアントの負荷を低減した描画性能の向上した表示装置５００となるので、秒単位で変化するメッシュネットワークに好適な表示装置５００を提供できるという効果がある。
【００２１】
実施の形態２．
前述した実施の形態１は、メッシュネットワークに「点」が追加された場合であったが、この実施の形態２はメッシュネットワークにおいて「点」が移動し、メッシュネットワークの図形が変更となる場合について説明する。尚、この実施の形態２においても、図形描画部４は「点」が移動した変更差分図形のみを図形格納部２に格納された図４について追加、削除の編集に基づく描画をし、図４の図形上に変更差分図形のみを描画し、図１８に示す更新図形５０ａとして表示するよう動作する。
【００２２】
次に図１３および図１４のフローチャートおよび図１５〜図１８を参照して表示装置５００の動作を説明する。
ＳＴ１．メッシュネットワーク上の変更差分データに相当する「点」が移動した場合、この情報が、マスタ３００からサーバ２００に出力される。すなわち移動した「点」のＩＤ、位置と接続（経路）情報の変更個所のデータが、サーバ２００に送信される。
ＳＴ２．サーバ２００の更新管理部２８は、図１７に示すように更新管理テーブル（Ｔ０５）を更新する。
ＳＴ３．図形管理部２６は、移動した「点」のデータを図１６（ａ）に示す点テーブル（Ｔ０１）に反映する。
ＳＴ４．経路管理部２７は、移動した「点」、接続情報の変更個所から、図１６（ｂ）に示す線分テーブル（Ｔ０２）のデータの変更、削除を行い、図１６（ｃ）に示す線分差分テーブル（Ｔ０３）に、前回更新時の図５（ｂ）の線分テーブル（Ｔ０２）と、最新更新時の図１６（ｂ）の線分テーブル（Ｔ０２）の差分内容を更新する。また、図１６（ｄ）に示す経路テーブル（Ｔ０４）もデータの変更、削除を行う。
ＳＴ５．クライアント１００の更新管理部８は、サーバ２００に対して図形描画時刻格納部７の図形描画時刻を基準として、図形の変更差分データの要求を一定時間毎に送信する。
ＳＴ６．サーバ２００の更新管理部２８は、更新ＤＢ２４の図１７に示す更新管理テーブル（Ｔ０５）を参照し、クライアント１００の図形描画時刻格納部７に格納されている前回の図形描画時刻を基準に前回更新時刻＜前回図形描画時刻＜最新更新時刻であることを確認し、最新情報に基づき前回の図形を更新する判定を下す。
ＳＴ７．経路管理部２７は、図１６（ｃ）に示す線分差分テーブル（Ｔ０３）からデータを取得する。
ＳＴ８．図形管理部２６は、線分差分テーブル（Ｔ０３）から参照される図１６（ａ）の点テーブル（Ｔ０１）の変更差分データを取得する。
ＳＴ９．サーバ２００のＩＦ部２１は、上記ＳＴ７で取得した図１６（ｃ）の線分差分テーブル（Ｔ０３）のデータと、上記ＳＴ８で取得した図１６（ａ）の点テーブル（Ｔ０１）のデータとを変更差分データとしてクライアント１００に送信する。
ＳＴ１０．クライアント１００の図形編集部３は、サーバ２００から受信した変更差分データから、図形格納部２に格納されている図４の図形５０について、図形データの差分である点データの移動と、線分データの追加と、それに伴う線分データの削除を行い、図形データの差分を確認するとともに、図１５に示すような変更差分のみの変更差分図形を編集する。
ＳＴ１１．図形描画部４は、図形格納部２に格納された図４について、図１５に示すような「点」Ａの移動による変更差分図形を描画する。すなわち図４に於いて変更を必要としない個所はそのまま流用し、変更差分図形のみを描画して、図１８に示す更新図形５０ａとし、表示画面部５に表示するとともに、この更新図形５０ａを図形格納部２に格納する。
ＳＴ１２．更新管理部８は、更新図形５０ａを描画した時刻を、図形描画時刻格納部７に格納する。
【００２３】
以上のようにこの実施の形態２による表示装置５００は、メッシュネットワークで「点」が移動した場合において、移動した変更差分データのみを編集した変更差分図形を描画する構成を備えているので、実施の形態１と同様の効果を奏する。
尚、変更差分データの編集、描画は、図４に示すものをベースとして説明したが、これに限らず実施の形態１に示した図１２からの「点」が移動したような場合であっても同様の動作をもって対応可能である。
【００２４】
実施の形態３．
この実施の形態３は、メッシュネットワークの「点」が削除されてメッシュネットワークの図形が変更となる場合について説明する。尚、この実施の形態３においても、図形描画部４は「点」が削除した変形差分図形のみを図形格納部２に格納された図４について削除、変更の編集に基づく描画をし、図４の図形上に変更差分図形のみを描画し、図２４に示す更新図形５０ａとして表示するよう動作する。
【００２５】
次に図１９および図２０のフローチャートおよび図２１〜図２４を参照して表示装置５００の動作を説明する。尚、後述する図２２（ａ）の点テーブル（Ｔ０１）、図２２（ｂ）の線分テーブル（Ｔ０２）、図２２（ｄ）の経路テーブル（Ｔ０４）のブランク欄は図４に示した「点」Ｂが削除されていることによるもので、理解し易いようにブランク欄としたものである。
ＳＴ１．メッシュネットワーク上の変更差分データに相当する「点」が削除された場合、この情報がマスタ３００からサーバ２００に出力される。すなわち削除された「点」のＩＤ、位置と接続（経路）情報の変更個所のデータが、サーバ２００に送信される。
ＳＴ２．サーバ２００の更新管理部２８は、図２３に示すように更新管理テーブル（Ｔ０５）を更新する。
ＳＴ３．図形管理部２６は削除された「点」のデータを図２２（ａ）に示す点テーブル（Ｔ０１）から削除する。
ＳＴ４．経路管理部２７は、削除された「点」、接続情報の変更個所から、図２２（ｂ）に示す線分テーブル（Ｔ０２）のデータの変更、削除を行い、図２２（ｃ）に示す線分差分テーブル（Ｔ０３）に、前回更新時の図５（ｂ）の線分テーブル（Ｔ０２）と、最新更新時の図２２（ｂ）の線分テーブル（Ｔ０２）の差分内容を更新する。また図２２（ｄ）に示す経路テーブル（Ｔ０４）もデータの変更、削除を行う。
ＳＴ５．クライアント１００の更新管理部８は、サーバ２００に対して図形描画時刻格納部７の図形描画時刻を基準として、図形の変更差分データの要求を一定時間毎に送信する。
ＳＴ６．サーバ２００の更新管理部２８は、更新ＤＢ２４の図２３に示す更新管理テーブル（Ｔ０５）を参照し、クライアント１００の図形描画時刻格納部７に格納されている前回の図形描画時刻を基準に、前回更新時刻＜前回図形描画時刻＜最新更新時刻であることを確認し、最新情報に基づき前回の図形を更新する判定を下す。
ＳＴ７．経路管理部２７は、図２２（ｃ）に示す線分差分テーブル（Ｔ０３）からデータを取得する。
ＳＴ８．図形管理部２６は、上記線分差分テーブル（Ｔ０３）から参照される図２２（ａ）の点テーブル（Ｔ０１）の変更差分データを取得する。
ＳＴ９．サーバ２００のＩＦ部２１は、上記ＳＴ７で取得した図２２（ｃ）の線分差分テーブル（Ｔ０３）のデータと、上記ＳＴ８で取得した図２２（ａ）の点テーブル（Ｔ０１）のデータとを変更差分データとしてクライアント１００に送信する。
ＳＴ１０．クライアント１００の図形編集部３は、サーバ２００から受信したＳＴ９の変更差分データから、図形格納部２に格納されている図４について、図形データの差分である点データの削除と、線分データの追加と、それに伴う線分データの削除を行い、図２１に示す表示画面を編集して変更差分のみの変更差分図形を編集する。
ＳＴ１１．図形描画部４は図形格納部２に格納された図４について、図２１に示すような「点」Ｂの削除による変更差分図形を描画する。すなわち図４に於いて変更を必要としない個所はそのまま流用し、図形データの変更差分図形のみを描画して図２４に示す更新図形５０ａとし、（この場合「点」Ｂを削除）表示画面部５に表示するとともに、この更新図形５０ａを図形格納部２に格納する。
ＳＴ１２．更新管理部８は、更新図形を描画した時刻を、図形描画時刻格納部７に格納する。
【００２６】
以上のように、この実施の形態３による表示装置５００は、メッシュネットワークで「点」が削除された場合において、削除された変更差分データのみを編集した変更差分図形を描画する構成を備えているので、前記実施の形態１と同様の効果を奏する。
【００２７】
実施の形態４．
次に実施の形態４による表示装置５００の動作を説明する。メッシュネットワーク上において、前述した実施の形態１では「点」の追加、実施の形態２では「点」の移動、実施の形態３では「点」の削除がなされた場合の動作を述べたが、そのいずれの場合においても、メッシュネットワーク上のスマートメータ５ｂやコンセントレータ５ｄに負荷変動が生じる。例えば実施の形態１において「点」Ａに注目すると、「点」Ａは変更前は図４に示すように「点」Ｄからのデータを経由するのみであったが、「点」Ｋの追加により図９に示すように「点」Ｄと「点」Ｋからのデータが経由することになり、負荷が増加する。また「点」Ｅのコンセントレータ５ｄについても、「点」Ｋの追加に伴う負荷が増加する。
このようにメッシュネットワーク上の「点」の追加、移動、削除後のスマートメータ５ｂやコンセントレータ５ｄの負荷状況を把握することは、電力網の管理項目で重要である。この実施の形態４で行う負荷変動を認知する表示装置５００の動作説明は、前述した実施の形態１〜実施の形態３を代表して、実施の形態１の「点」の追加を実施例として行うものである。以下、図２５に示すフローチャートに基づいて説明する。
【００２８】
ＳＴ１．クライアント１００の入力装置９からの入力により、表示画面部５に表示されたメッシュネットワークの始点が選択される。
ＳＴ２．クライアント１００の更新管理部８は、サーバ２００に対して図形描画時刻格納部７の前回の図形描画時刻を基準とした図形の変更差分データと、選択した始点から終点までの経路の要求を送信する。
ＳＴ３．サーバ２００の更新管理部２８は、更新ＤＢ２４の更新管理テーブル（Ｔ０５）を参照し、図形描画時刻格納部７に格納されている前回の図形描画時刻を基準に、前回更新時刻＜前回図形描画時刻＜最新更新時刻であることを確認する。
ＳＴ４．経路管理部２７は、線分テーブル（Ｔ０２）を参照し選択した始点から終点までの経路データを取得する。
ＳＴ５．ＩＦ部２１は、上記ＳＴ４のデータをクライアント１００に送信する。
ＳＴ６．図形描画部４は、上記始点から終点までのデータを表示画面部５に更新図形５０ａとして表示されている表示画面に重ねて表示する。この例を図２６に示す。
【００２９】
尚、この実施例では、上記ＳＴ４で選択した始点から終点のデータは、図２６に示すように「点」Ａ〜「点」Ｋのすべてにおよぶデータであるが、例えば「点」Ａに関するもののみであってもよい。また、この実施例では始点から終点のデータであったが、終点から始点のデータを選択してもよい。さらに「点」Ｋの追加を例として説明したが、実施の形態２の「点」の移動、および実施の形態３の「点」の削除の場合であっても、前記図２５のフローチャートと基本的に同様の動作を行うものである。さらにまた、実施の形態１、実施の形態２、実施の形態３で示した各フローチャートのＳＴ５におけるクライアント１００がサーバ２００に対する要求時に、この実施の形態４のフローチャートを図２５に示すＳＴ２の要求を同時に行うものであってもよい。
以上のようにこの実施の形態４によれば、メッシュネットワーク上の「点」の接続先（始点と終点）が、表示画面上に重ねて表示されるので、スマートメータ５ｂやコンセントレータ５ｄの負荷状況が把握できるので、例えば工場内に設置されている場合や、市街地におけるメッシュネットワークの経路の変更や、コンセントレータ５ｄの増設等、メッシュネットワークの最適化に供することが可能となる効果がある。
【００３０】
尚、上記実施の形態１〜実施の形態４では、スマートグリッドを構成するスマートメータと電力網のメッシュネットワーク表示装置を例としたが、これに限らず、他のメッシュネットワークの場合にあっても適用できる。
【００３１】
尚、この発明は、その発明の範囲内において、各実施の形態を自由に組み合わせたり、各実施の形態を適宜、変形、省略することが可能である。
【符号の説明】
【００３２】
１  ＩＦ部、３  図形編集部、５  表示画面部、５ａ  地図、５ｂ  スマートメータ、５ｃ  通信経路、５ｄ  コンセントレータ、７  図形描画時刻格納部、２１  ＩＦ部、
２２  図形ＤＢ、２３  経路ＤＢ、２４  更新ＤＢ、５０  図形、５０ａ  更新図形、
１００  クライアント、２００  サーバ、３００  マスタ、
５００  メッシュネットワーク表示装置。
【図１】
2017040960.tif 000003
【図２】
2017040960.tif 000004
【図３】
2017040960.tif 000005
【図４】
2017040960.tif 000006
【図５】
2017040960.tif 000007
【図６】
2017040960.tif 000008
【図７】
2017040960.tif 000009
【図８】
2017040960.tif 000010
【図９】
2017040960.tif 000011
【図１０】
2017040960.tif 000012
【図１１】
2017040960.tif 000013
【図１２】
2017040960.tif 000014
【図１３】
2017040960.tif 000015
【図１４】
2017040960.tif 000016
【図１５】
2017040960.tif 000017
【図１６】
2017040960.tif 000018
【図１７】
2017040960.tif 000019
【図１８】
2017040960.tif 000020
【図１９】
2017040960.tif 000021
【図２０】
2017040960.tif 000022
【図２１】
2017040960.tif 000023
【図２２】
2017040960.tif 000024
【図２３】
2017040960.tif 000025
【図２４】
2017040960.tif 000026
【図２５】
2017040960.tif 000027
【図２６】
2017040960.tif 000028